【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
デジタル放送を受信する受信手段と、チャンネル切り替え処理を行うチャンネル切り替え処理手段とを備えるデジタル放送受信装置であって、
前記チャンネル切り替え処理に発生するデータの受信待ちに関連するデータを測定するデータ取得手段と、
前記データ取得手段を動作させるタイミングを制御するデータ取得タイミング制御手段と、
前記データ取得手段により取得された制御情報を基に、少なくともシーケンスヘッダに関する制御パラメータ及びＥＣＭに関する制御パラメータとを生成するパラメータ生成手段と、
前記パラメータ生成手段により生成された前記シーケンスヘッダに関する制御パラメータ及びＥＣＭに関する制御パラメータとに基づいて、チャンネル切り替え完了時刻からチャンネル切り替え発生時刻を差し引いたチャンネル切り替えに要する時間であるチャンネル切り替え時間を算出する処理時間算出手段と、
前記処理時間算出手段により算出されたチャンネル切り替え時間に基づいて、チャンネル切り替え時に発生する、ＥＣＭ待ち時間及びシーケンスヘッダ待ち時間とが最小となるようにチャンネル切り替え開始タイミングを制御するチャンネル切り替えタイミング制御手段と、
を備えるデジタル放送受信装置。
【請求項２】
前記データ取得手段は、チャンネル切り替え処理開始時間、デスクランブル処理に関連する制御情報、又はストリームの復号処理に関連する制御情報を測定する請求項１記載のデジタル放送受信装置。
【請求項３】
前記デスクランブル処理に関連する制御情報は、暗号鍵生成に利用するＥＣＭの受信完了時間、ＥＣＭの受信処理に必要なＥＣＭ_ＰＩＤ取得時間、デスクランブル設定完了時
間、ＥＣＭ出現タイミング、又はＥＣＭ受信間隔のうち少なくともいずれか一つ、
前記ストリームの復号処理に関連する制御情報は、シーケンスヘッダ出現タイミング、又はシーケンスヘッダ受信間隔である請求項２記載のデジタル放送受信装置。
【請求項４】
前記データ取得手段は、チャンネル変更に周波数変更が伴う場合と伴わない場合のそれぞれに対して必要な制御情報を測定する請求項１記載のデジタル放送受信装置。
【請求項５】
前記制御情報は、チャンネル切り替え処理開始時間、又はデスクランブル処理に必要な情報である請求項４記載のデジタル放送受信装置。
【請求項６】
前記チャンネル切り替え処理開始時間は、前記チャンネル切り替えタイミング制御手段に通知のチャンネル切り替え要求が発生した時間、又は前記チャンネル切り替えタイミング制御手段からチューナに対してフロントエンド処理開始要求が発生した時間である請求項２記載のデジタル放送受信装置。
【請求項７】
前記データ取得タイミング制御手段は、番組情報を元に、前記データ取得要求を定期的に行う請求項１記載のデジタル放送受信装置。
【請求項８】
前記データ取得手段は、複数のチューナがある場合、そのチューナの使用状況を参照してデータ取得に用いるチューナを決定する請求項１記載のデジタル放送受信装置。
【請求項９】
前記データ取得手段は、複数のチューナを有する場合、使用されていない全てのチューナを用いて前記データ取得を行う請求項８記載のデジタル放送受信装置。
【請求項１０】
前記データ取得手段は、複数のチューナを有する場合、通常視聴中にあっても未使用のチューナを用いて前記データ取得を行う請求項８記載のデジタル放送受信装置。
【請求項１１】
前記データ取得手段は、前記チャンネル切り替えタイミング制御手段からの通知を基に、前記チャンネル切り替え開始時間、及び前記デスクランブル処理に必要な制御情報の測定を行う請求項２記載のデジタル放送受信装置。
【請求項１２】
前記データ取得手段は、前記デスクランブル処理に必要な制御情報を、デスクランブル部からの通知を基に、測定を開始する請求項２記載のデジタル放送受信装置。
【請求項１３】
前記データ取得手段は、前記ストリーム復号処理に必要な制御情報を、デコード処理部からの通知を基に、測定を開始する請求項２記載のデジタル放送受信装置。
【請求項１４】
前記パラメータ生成手段は、前記データ取得手段によって取得されたチャンネル切り替え処理開始時間、又は前記デスクランブル処理に関連する制御情報に基づいて、チャンネル切り替えに必要な制御パラメータを生成する請求項２記載のデジタル放送受信装置。
【請求項１５】
前記チャンネル切り替えに必要な時間は、選局開始からＥＣＭ_ＰＩＤ取得までの時間
及びＥＣＭ受信完了からデスクランブル設定完了までの時間である請求項１４記載のデジタル放送受信装置。
【請求項１６】
前記処理時間算出手段は、前記パラメータ生成手段によって生成された制御パラメータに基づいて、前記デスクランブル処理に関連する制御情報を基準にチャンネル切り替え開始タイミングを設定し、その時のチャンネル切り替え時間を算出する請求項２記載のデジタル放送受信装置。
【請求項１７】
前記チャンネル切り替えタイミング制御手段は、前記パラメータ生成手段によって生成された制御パラメータに基づいてストリーム復号処理に関連する制御情報を基準にチャンネル切り替え開始タイミングを設定し、チャンネル切り替え時間を算出する請求項２記載のデジタル放送受信装置。
【請求項１８】
前記チャンネル切り替えタイミング制御手段は、前記請求項１６で算出したチャンネル切り替え時間と、前記請求項１７で算出したチャンネル切り替え時間とを比較し、チャンネル切り替え時間が最小となるチャンネル切り替え開始タイミングでチャンネル切り替え開始要求を行うデジタル放送受信装置。
【請求項１９】
デジタル放送を受信し、チャンネル切り替え処理を行うデジタル放送受信方法であって、
前記チャンネル切り替え処理に発生するデータの受信待ちに関連するデータを測定するステップと、
前記データ取得動作のタイミングを制御するステップと、
前記取得された制御情報を基に、少なくともシーケンスヘッダに関する制御パラメータ及びＥＣＭに関する制御パラメータとを生成するステップと、
前記生成されたシーケンスヘッダに関する制御パラメータ及びＥＣＭに関する制御パラメータに基づいて、チャンネル切り替え完了時刻からチャンネル切り替え発生時刻を差し引いたチャンネル切り替えに要する時間であるチャンネル切り替え時間を算出するステップと、
前記算出されたチャンネル切り替え時間に基づいて、チャンネル切り替え時に発生するＥＣＭ待ち時間及びシーケンスヘッダ待ち時間とが最小となるようにチャンネル切り替え開始タイミングを制御するステップと
を有するデジタル放送受信方法。
【請求項２０】
デジタル放送を受信し、チャンネル切り替え処理を行うデジタル放送受信方法であって、前記チャンネル切り替え処理に発生するデータの受信待ちに関連するデータを測定するステップと、
前記データ取得動作のタイミングを制御するステップと、
前記取得された制御情報を基に、少なくともシーケンスヘッダに関する制御パラメータ及びＥＣＭに関する制御パラメータとを生成するステップと、
前記生成されたシーケンスヘッダに関する制御パラメータ及びＥＣＭに関する制御パラメータに基づいて、チャンネル切り替え完了時刻からチャンネル切り替え発生時刻を差し引いたチャンネル切り替えに要する時間であるチャンネル切り替え時間を算出するステップと、
前記算出されたチャンネル切り替え時間に基づいて、チャンネル切り替え時に発生するＥＣＭ待ち時間及びシーケンスヘッダ待ち時間が最小となるようにチャンネル切り替え開始タイミングを制御するステップと、
をコンピュータに実行させるためのプログラム。
【手続補正２】
【補正対象書類名】明細書
【補正対象項目名】００１２
【補正方法】変更
【補正の内容】
【００１２】
本発明のデジタル放送受信装置は、デジタル放送を受信する受信手段と、チャンネル切り替え処理を行うチャンネル切り替え処理手段とを備えるデジタル放送受信装置であって、前記チャンネル切り替え処理に発生するデータの受信待ちに関連するデータを測定するデータ取得手段と、前記データ取得手段を動作させるタイミングを制御するデータ取得タイミング制御手段と、前記データ取得手段により取得された制御情報を基に、少なくともシーケンスヘッダに関する制御パラメータ及びＥＣＭに関する制御パラメータとを生成するパラメータ生成手段と、前記パラメータ生成手段により生成された前記シーケンスヘッダに関する制御パラメータ及びＥＣＭに関する制御パラメータとに基づいて、チャンネル切り替え完了時刻からチャンネル切り替え発生時刻を差し引いたチャンネル切り替えに要する時間であるチャンネル切り替え時間を算出する処理時間算出手段と、前記処理時間算出手段により算出されたチャンネル切り替え時間に基づいて、チャンネル切り替え時に発生する、ＥＣＭ待ち時間及びシーケンスヘッダ待ち時間とが最小となるようにチャンネル切り替え開始タイミングを制御するチャンネル切り替えタイミング制御手段と、を備える構成を採る。
【手続補正３】
【補正対象書類名】明細書
【補正対象項目名】００１３
【補正方法】変更
【補正の内容】
【００１３】
本発明のデジタル放送受信方法は、デジタル放送を受信し、チャンネル切り替え処理を行うデジタル放送受信方法であって、前記チャンネル切り替え処理に発生するデータの受信待ちに関連するデータを測定するステップと、前記データ取得動作のタイミングを制御するステップと、前記取得された制御情報を基に、少なくともシーケンスヘッダに関する制御パラメータ及びＥＣＭに関する制御パラメータとを生成するステップと、前記生成されたシーケンスヘッダに関する制御パラメータ及びＥＣＭに関する制御パラメータに基づいて、チャンネル切り替え完了時刻からチャンネル切り替え発生時刻を差し引いたチャンネル切り替えに要する時間であるチャンネル切り替え時間を算出するステップと、前記算出されたチャンネル切り替え時間に基づいて、チャンネル切り替え時に発生するＥＣＭ待ち時間及びシーケンスヘッダ待ち時間とが最小となるようにチャンネル切り替え開始タイミングを制御するステップとを有する。
【手続補正４】
【補正対象書類名】明細書
【補正対象項目名】００１４
【補正方法】変更
【補正の内容】
【００１４】
また、他の観点から、本発明は、デジタル放送を受信し、チャンネル切り替え処理を行うデジタル放送受信方法であって、前記チャンネル切り替え処理に発生するデータの受信待ちに関連するデータを測定するステップと、前記データ取得動作のタイミングを制御するステップと、前記取得された制御情報を基に、少なくともシーケンスヘッダに関する制御パラメータ及びＥＣＭに関する制御パラメータとを生成するステップと、前記生成されたシーケンスヘッダに関する制御パラメータ及びＥＣＭに関する制御パラメータに基づいて、チャンネル切り替え完了時刻からチャンネル切り替え発生時刻を差し引いたチャンネル切り替えに要する時間であるチャンネル切り替え時間を算出するステップと、前記算出されたチャンネル切り替え時間に基づいて、チャンネル切り替え時に発生するＥＣＭ待ち時間及びシーケンスヘッダ待ち時間が最小となるようにチャンネル切り替え開始タイミングを制御するステップと、をコンピュータに実行させるためのプログラムである。